(57)【要約】【課題】直接洗浄液に手を触れることなく、袋に被洗浄物を入れたまま、最後（すすぎや脱水）まで作業を行なうことができる携帯用洗浄袋を提供することを課題とする。【解決手段】非透水性のシートより形成した袋１であって、衣料や洗剤や水等を袋内に挿入するための挿入口２と、液体のみを通すことのできる排水口３１とを別々に備えたものであり、挿入口２と排水口３１は共に閉止可能なものであり、排水口３１は排水部３に形成されたものであり、排水部３は、袋本体１１から突出するように形成され、排水部３には、袋本体１１よりも幅の狭い通路部分３２を、袋本体１１と排水口３１との間に備えたものであり、この通路部分３２を曲げることにより、通路部分３２を通過する液体の流量を減少させることが可能であることを特徴とする携帯用洗浄袋を提供する。【選択図】　　　　　図１
2004097647.tif 000002
【特許請求の範囲】
【請求項１】
非透水性のシートより形成した袋（１）であって、
衣料や洗剤や水等を袋内に挿入するための挿入口（２）と、
液体のみを通すことのできる排水口（３１）とを別々に備えたものであり、
挿入口（２）と排水口（３１）は共に閉止可能なものであり、
排水口（３１）は排水部（３）に形成されたものであり、
排水部（３）は、袋本体（１１）から突出するように形成され、
排水部（３）には、袋本体（１１）よりも幅の狭い通路部分（３２）を、袋本体（１１）と排水口（３１）との間に備えたものであり、
この通路部分（３２）を曲げることにより、通路部分（３２）を通過する液体の流量を減少させることが可能であることを特徴とする携帯用洗浄袋。
【請求項２】
袋本体（１１）から排水部（３）へと液体を導くためのシール（１２）を袋本体（１１）に形成したことを特徴とする、請求項１に記載の携帯用洗浄袋。
【請求項３】
別々に形成した排水部（３）と袋本体（１１）とを接合することにより形成したことを特徴とする、請求項１又は２に記載の携帯用洗浄袋。
【発明の詳細な説明】
【０００１】
【発明の属する技術分野】
本願発明は、旅行等の際に使用するための携帯用洗浄袋に関するものである。
【０００２】
【従来の技術】
【特許文献１】
実開平７−４３３６０号公報
【特許文献２】
特開２００１−６３７３３号公報
【０００３】
従来より、袋内に衣類等の被洗浄物を洗剤や漂白剤と共に入れて漬け置くことにより、被洗浄物を洗浄するための袋が存在している。
例えば、特許文献１（実開平７−４３３６０号公報）に記載の発明（「洗浄容器」）は、フィルタや換気扇等を洗浄するためのものであり、特許文献２（特開２００１−６３７３３号公報）に記載の発明（「漬け置き袋」）は、まな板、シューズ、湯のみ、茶碗等を洗浄するためのものである。
【０００４】
【発明が解決しようとする課題】
しかし、上記の各袋にあっては、いずれも漬け置き洗いを主目的とするものであって、すすぎに関しては、被洗浄物を袋の外に取り出して行う必要があった。
【０００５】
一方、旅行中等で、靴下や下着等の衣類を現地で洗濯する場合は多々あるが、その際においては、洗面台等で手洗いすることとなり、洗剤を溶かした洗浄液に直接触れることによる肌荒れ等の危険があり、好ましいものではなかった。
【０００６】
よって本願発明は、直接洗浄液に手を触れることなく、袋に被洗浄物を入れたまま、最後（すすぎや脱水）まで作業を行なうことができる携帯用洗浄袋を提供することを課題とする。
【０００７】
【課題を解決するための手段】
上記の課題を解決するために、本願第１の発明は、非透水性のシートより形成した袋１であって、衣料や洗剤や水等を袋内に挿入するための挿入口２と、液体のみを通すことのできる排水口３１とを別々に備えたものであり、挿入口２と排水口３１は共に閉止可能なものであり、排水口３１は排水部３に形成されたものであり、排水部３は、袋本体１１から突出するように形成され、排水部３には、袋本体１１よりも幅の狭い通路部分３２を、袋本体１１と排水口３１との間に備えたものであり、この通路部分３２を曲げることにより、通路部分３２を通過する液体の流量を減少させることが可能であることを特徴とする携帯用洗浄袋を提供する。
通路部分３２を袋本体１１よりも幅を狭くすることにより、衣類等の被洗浄物が排水口３１から液体と共に出てしまうようなことがない。又、貯水のために通路部分３２を折り曲げることが容易である。又、通路部分３２を折り曲げた際においても、広い通路を持つ袋と比較すると、通路部分の一部から液体の漏れが発生してしまうようなことが起こりにくく、通路部分３２を流れる液体の流量を確実に減少させることができる。
よって、衣料等の被洗浄物に直接手を触れることなく洗浄することができるため、洗剤による手荒れ等を心配することなく、洗浄作業を行うことができる。
【０００８】
又、本願第２の発明は、第１の発明において、袋本体１１から排水部３へと液体を導くためのシール１２を袋本体１１に形成したことを特徴とする携帯用洗浄袋を提供する。
これにより、袋本体１１の内部の液体をスムーズに排水口３１から排出することができる。
【０００９】
又、本願第３の発明は、第１又は第２の発明において、別々に形成した排水部３と袋本体１１とを接合することにより形成したことを特徴とする携帯用洗浄袋を提供する。
これにより、素材のシートをあらかじめ複雑な形状に加工しておく必要がなく、比較的容易に携帯用洗浄袋１を製造することができる。
【００１０】
【発明の実施の形態】
以下、図面に基づき、本願発明の実施の形態の一例を取りあげて説明する。図１は本例の携帯用洗浄袋の平面図であり、図２〜図６は使用方法を示す説明図である。
【００１１】
本願発明に係る携帯用洗浄袋１は、ポリエチレン、ポリプロピレン、ナイロン、ビニール等の非透水性であって、容易に折り曲げることができる軟質樹脂シートを材料として、周囲にヒートシール等を施すことにより、内部に空間を有する袋状に形成したものである。
【００１２】
そして、上記のように形成された携帯用洗浄袋１には、開口部として挿入口２と排水口３１とが設けられる。
挿入口２は、本例においては、携帯用洗浄袋１の上辺の全幅に渡って開口可能に形成している。この挿入口２を通して衣類等の被洗浄物、洗剤、水、そして必要であれば漂白剤や柔軟仕上げ剤を携帯用洗浄袋１の内部に入れることができる。
【００１３】
又、排水口３１は、携帯用洗浄袋１の下部において開口可能に形成したものである。この排水口３１は、上記の挿入口２とは異なり、図１に示すように、袋本体１１から突出するように筒状に形成した排水部３の先端に位置するものである。
この排水部３は、本例の場合にあっては、袋本体１１とは別に形成した上で、シール等を施すことにより袋本体１１に対して接合したものである。尚、これに限られず、袋本体１１と排水部３を当初から一体に形成したものであっても良い。
そして、この排水部３には、図１において上下方向に伸びる、扁平な筒状の通路部分３２を備える。又、通路部分３２の上端は導入部３３となっており、袋本体１１の内部の空間に対して開口している。袋本体１１に対する導入部３３の位置は、袋本体１１の底部（本例においては導流シール１２の上端部分）と略同じ高さとなっており、袋本体１１の内部にある液体を通路部分３２にスムーズに導くことができる。又、通路部分３２の下端は排水口３１となっており、ここから袋内の液体が外部に排出される。
【００１４】
ここで、通路部分３２は、袋本体１１よりも外部において、通路部分３２に直交するように折ることができる程度に突出して取り付けられる。通路部分３２は、後述するように（図５参照）、折り曲げることによって通路部分３２を通過する液体の流れを制限することができるものであり、これにより、排水口３１を開放した状態であっても、適宜、袋本体１１の内部に貯水することができる。
ここで、上記の「貯水」状態とは、通路部分３２を折り曲げた際において、通路部分３２を完全に閉止して貯水した状態に限られず、被洗浄物を充分にすすぐことができる程度に、袋本体１１の内部に貯水できる状態であれば良い。例えば、袋本体１１に注入した水が排水口３１から排出されてしまうまでに１０秒以上、望ましくは３０秒以上袋本体１１の内部に滞留する状態となって、被洗浄物が水等の液体に十分に浸されるように、通路部分３２を通る液体の流量を減少させる。
【００１５】
又、本例においては、図１に示すように、袋本体１１の底辺に斜めに導流用シール１２が形成されており、袋本体１１の内部に位置する液体をよりスムーズに導入部３３へと導くことができる。
ここで、排水部３の通路部分３２の幅は袋本体１１の横幅よりも狭くなっている。これにより、衣類等の被洗浄物が排水口３１から液体と共に出てしまうようなことがない。
又、貯水のために通路部分３２を折り曲げることが容易である。
又、排水のための通路が袋本体１１の幅よりも狭く形成されるため、通路部分３２を折り曲げた際においても、袋本体１１の幅と同一の広い通路を持つ袋と比較すると、通路部分の一部から液体の漏れが発生してしまうようなことが起こりにくく、図５に示すように排水部３を折り曲げて、通路部分３２を流れる液体の流量を確実に減少させることができる。
尚、本例においては、排水部３は平面視長方形であり、通路部分３２の幅は一定に形成されたものであるが、これに限られず、位置によって広くしたり狭くしたりしても良い。又、通路部分３２や導入部３３を横断するように部分的なシールを断続的に形成することにより、被洗浄物が排水口３１へと抜け出てしまわないようにしても良い。
【００１６】
ここで、排水部３の望ましい大きさを述べると、幅寸法は袋本体１１の横幅の２０〜３０％（５〜１５ｃｍ）、袋本体１１から突出する寸法は、袋本体１１の縦寸法の１０〜２０％（５〜２０ｃｍ）が適当である。ただし、対象とする被洗浄物の大きさや種類によっては、上記以外の寸法としても良い。
【００１７】
上記の各開口部２，３１にはそれぞれチャック２ａ，３１ａが取り付けられている。本例においては、対向するシートの面の一方側に凹条、他方側に凸条を形成したものであり、凹条と凸条とを嵌め合わせることによって、各開口部２，３１を液体が漏れないように閉鎖することができる。
又、本例においては、挿入口２の外側にチャック２ａを閉鎖するためのスライダー２ｂが配位されており、このスライダー２ｂをチャック２ａに沿ってスライドさせ、外側からチャック２ａを押圧することによって閉鎖することができるようになっている。
尚、このスライダー２ｂは必須のものではなく、必要に応じて取り付ければ良い。
又、本例の携帯用洗浄袋１においては、上記のようなチャック２ａ，３１ａを用いるものとしているが、液体を通さないように閉鎖できるものであれば、他の構造の閉鎖手段を備えたものとしても良い。
【００１８】
尚、本例においては、袋本体１１及び排水部３について、２枚の平坦なシートを重ねて周囲の辺にシールを施すことにより、扁平に形成しているが、これに限られるものではなく、側辺に襠を形成したり、袋本体１１においては底辺に底面を有するものとし、内部の空間を増加させたものとしても良い。ただし、排水部３については、通路部分３２を折り曲げやすくするために、扁平な筒状の方が望ましい。
又、袋本体１１と排水部３とは別々の素材を用いるものであっても良い。ただし排水部３については、通路部分３２を折り曲げて使用するため、袋本体１１を比較的硬質な材質とした場合にあっては、袋本体１１よりも柔軟な素材を用いることが望ましい。
又、挿入口２や排水口３１は、本例の携帯用洗浄袋１においては、挿入口２を上部に、排水口３１を下部に、各１箇所ずつ設けているが、各開口部を形成する位置や数量はこれに限られるものではなく、用途に応じて種々に変更して実施することができる。
【００１９】
ここで、本例の携帯用洗浄袋１の使用方法の一例について説明する。
（１）図２に示すように、まず挿入口２を開放して、被洗浄物（衣類）Ｃを入れ、続いて洗剤Ｄと水Ｗを適量入れる。
（２）その後、図３に示すように、挿入口２のチャック２ａを閉鎖し、携帯用洗浄袋１を上下や左右に振り、洗剤Ｄの水溶液である洗浄液Ｌで被洗浄物（衣類）Ｃを洗う。
（３）そして、図４に示すように、挿入口２及び排水口３１を開放し、挿入口２から水Ｗを注入して被洗浄物（衣類）Ｃに掛け、続いて、洗浄液Ｌと水Ｗとを排水口３１から排水することによってすすぎを行なう。
（４）この際、本願発明に係る携帯用洗浄袋１においては、図５に示すように、携帯用洗浄袋１を完全に持ち上げずに、排水部３を、例えば洗面台Ｂの底面に当接させたままにし、これにより通路部分３２を折り曲げることにより、袋本体１１の内部に水Ｗを貯めることが可能であり、貯めすすぎを行なうことが可能となっている。
尚、携帯用洗浄袋１を完全に持ち上げると、上記のように袋本体１１に貯められていた水Ｗは排水口３１から排出される。
上記の（３）（４）を繰り返すことにより能率的に被洗浄物（衣類）Ｃをすすぐことができ、流水を単に流すすすぎに比べて手早くすすぐことができ、水の節約にもなる。
（５）このようにしてすすぎが終わったら、図６に示すように、袋本体１１を巻き込むことにより脱水を行なう。このように、脱水が終了するまで、被洗浄物（衣類）Ｃに直接手を触れることなく作業を行なうことができ、従来の手洗いのように洗剤で手を荒らしてしまう心配はない。
【００２０】
本願発明に係る携帯用洗浄袋１は素材が樹脂からなるものであるため、何回も繰り返して使用することができ、経済的である。
又、被洗浄物は衣類に限られるものではなく、食器等の台所用品や小物類等や換気扇、フィルタ等の種々のものに対して使用が可能である。
又、この携帯用洗浄袋１は、気密性をも有するものであるため、特に旅行に携行する際においては、衣類等の嵩高な物品を収納してから袋内の空気を押し出し、挿入口や排水口のチャックを閉鎖することにより、物品の嵩を減少させて持ち運ぶことのできる、いわゆる圧縮袋を兼ねて使用することも可能であり、効率の良い使用ができる。
【００２１】
【発明の効果】
本願第１の発明にあっては、衣料等の被洗浄物に直接手を触れることなく洗浄することができるため、洗剤による手荒れ等を心配することなく、洗浄作業を行うことができる。
又、本願第２の発明にあっては、第１の発明の効果に加え、袋本体の内部の液体をスムーズに排水口から排出することができる。
又、本願第３の発明にあっては、第１又は第２の発明の効果に加え、素材のシートをあらかじめ複雑な形状に加工しておく必要がなく、比較的容易に携帯用洗浄袋を製造することができる。
【図面の簡単な説明】
【図１】本例の携帯用洗浄袋の平面図である。
【図２】本例の携帯用洗浄袋の使用方法を示す説明図である。
【図３】本例の携帯用洗浄袋の使用方法を示す説明図である。
【図４】本例の携帯用洗浄袋の使用方法を示す説明図である。
【図５】本例の携帯用洗浄袋の使用方法を示す説明図である。
【図６】本例の携帯用洗浄袋の使用方法を示す説明図である。
【符号の説明】
１　　　携帯用洗浄袋
１１　　袋本体
１２　　（導流）シール
２　　　挿入口
３　　　排水部
３１　　排水口
３２　　通路部分
【図１】
2004097647.tif 000003
【図２】
2004097647.tif 000004
【図３】
2004097647.tif 000005
【図４】
2004097647.tif 000006
【図５】
2004097647.tif 000007
【図６】
2004097647.tif 000008